(57)【要約】【課題】仮想マシンに導入されるアプリケーションソフトウェアのバージョンが変更された場合であっても、パラメータを自動で設定可能にする。【解決手段】仮想マシンを構築する手順が記載されたマニュアルから抽出されたテキストデータである設定手順情報を記憶する設定手順情報記憶部１５０と、設定手順情報から抽出したキーワードから、パラメータが設定される対象を特定し、特定した対象にパラメータを設定する制御部１１０とを有することで、仮想マシンに導入されるアプリケーションソフトウェアのバージョンが変更された場合であっても、パラメータを自動で設定できるようになる。【選択図】図１
2015095035.tif 000002
【特許請求の範囲】
【請求項１】
仮想マシンを構築する手順が記載されたマニュアルから抽出されたテキストデータである設定手順情報を記憶する設定手順情報記憶部と、
前記設定手順情報から抽出したキーワードから、パラメータが設定される対象を特定し、特定した前記対象に前記パラメータを設定する制御部と、
を有する、パラメータ設定支援システム。
【請求項２】
請求項１に記載のパラメータ設定支援システムにおいて、
前記制御部は、抽出した前記キーワードに対応する前記パラメータを取得し、特定した前記対象に取得した前記パラメータを設定する、パラメータ設定支援システム。
【請求項３】
請求項１または２に記載のパラメータ設定支援システムにおいて、
前記制御部は、前記設定手順情報から抽出したキーワードである設定ファイル名を、前記設定手順情報から抽出したキーワードである設定対象で検索することで、前記対象を特定する、パラメータ設定支援システム。
【請求項４】
請求項１〜３のいずれか一項に記載のパラメータ設定支援システムにおいて、
前記制御部は、抽出した前記キーワードと設定した前記パラメータとを対応付けて設定項目記憶部に記憶する、パラメータ設定支援システム。
【請求項５】
請求項４に記載のパラメータ設定支援システムにおいて、
前記設定項目記憶部に記憶された前記キーワードと前記パラメータとを一覧で表示する表示部をさらに有する、パラメータ設定支援システム。
【請求項６】
請求項５に記載のパラメータ設定支援システムにおいて、
前記表示部は、入力されなかった前記パラメータに対応する前記キーワードを他の前記キーワードとは異なる態様で表示する、パラメータ設定支援システム。
【請求項７】
請求項６に記載のパラメータ設定支援システムにおいて、
入力されなかった前記パラメータの入力を受け付ける入力部をさらに有する、パラメータ設定支援システム。
【請求項８】
制御部が、仮想マシンを構築する手順が記載されたマニュアルから抽出されたテキストデータである設定手順情報から、キーワードを抽出するキーワード抽出ステップと、
前記制御部が、抽出した前記キーワードから、パラメータが設定される対象を特定する設定対象特定ステップと、
前記制御部が、前記特定した前記対象に前記パラメータを設定するパラメータ設定ステップと、
を有する、パラメータ設定支援方法。
【請求項９】
制御部が、仮想マシンを構築する手順が記載されたマニュアルから抽出されたテキストデータである設定手順情報から、キーワードを抽出するキーワード抽出ステップと、
前記制御部が、抽出した前記キーワードから、パラメータが設定される対象を特定する設定対象特定ステップと、
前記制御部が、前記特定した前記対象に前記パラメータを設定するパラメータ設定ステップと、
をパラメータ設定支援システムのコンピュータに実行させるパラメータ設定支援プログラム。
【発明の詳細な説明】
【技術分野】
【０００１】
本発明は、パラメータ設定支援システムおよびパラメータ設定支援方法ならびにパラメータ設定支援プログラムに関する。
【背景技術】
【０００２】
仮想マシン（以下、ＶＭ（Ｖｉｒｔｕａｌ  Ｍａｃｈｉｎｅ）と呼ぶ場合がある）の構築時には、構築した仮想マシンへアプリケーションソフトウェアを導入する必要がある。また、仮想マシンに導入したアプリケーションソフトウェアのバージョンが変更された場合には、利用者は、アプリケーションソフトウェアの設定ファイルを変更することが必要である。
【０００３】
例えば、特開２０１１−６００３５号公報（特許文献１）には、「アプリケーションソフトウェアをＶＭに導入する際、アプリケーションソフトウェア毎に予め用意したプログラムにより、テンプレート内の設定対象項目の一部の値をユーザ毎に用意した設定値で自動的に置換し、当該置換によって生成される設定ファイルと設定スクリプトをＶＭに導入する」と記載されている。
【先行技術文献】
【特許文献】
【０００４】
【特許文献１】特開２０１１−６００３５号公報
【発明の概要】
【発明が解決しようとする課題】
【０００５】
特許文献１に記載された技術では、アプリケーションソフトウェアの仮想マシンへのセットアップを自動化している。しかし、特許文献１に記載された技術では、仮想マシンに導入されるアプリケーションソフトウェアのバージョンが変更された場合には、パラメータを置換するプログラムを変更しなければ、適切なパラメータを設定できなかった。そして、適切なパラメータを設定するために、プログラムを変更する工数が発生していた。
【０００６】
本発明の目的は、仮想マシンに導入されるアプリケーションソフトウェアのバージョンが変更された場合であっても、パラメータを自動で設定可能にする技術を提供することである。
【課題を解決するための手段】
【０００７】
本願において開示される発明のうち、代表的なものの概要を簡単に説明すれば、次の通りである。
【０００８】
本発明の一実施の形態は、仮想マシンを構築する手順が記載されたマニュアルから抽出されたテキストデータである設定手順情報を記憶する設定手順情報記憶部を有する。また、前記設定手順情報から抽出したキーワードから、パラメータが設定される対象を特定し、特定した前記対象に前記パラメータを設定する制御部を有する。
【０００９】
また、他の実施の形態では、制御部が、仮想マシンを構築する手順が記載されたマニュアルから抽出されたテキストデータである設定手順情報から、キーワードを抽出するキーワード抽出ステップを有する。また、前記制御部が、抽出した前記キーワードから、パラメータが設定される対象を特定する設定対象特定ステップを有する。また、前記制御部が、前記特定した前記対象に前記パラメータを設定するパラメータ設定ステップを有する。
【００１０】
また、他の実施の形態では、制御部が、仮想マシンを構築する手順が記載されたマニュアルから抽出されたテキストデータである設定手順情報から、キーワードを抽出するキーワード抽出ステップをパラメータ設定支援システムのコンピュータに実行させる。また、前記制御部が、抽出した前記キーワードから、パラメータが設定される対象を特定する設定対象特定ステップを前記コンピュータに実行させる。また、前記制御部が、前記特定した前記対象に前記パラメータを設定するパラメータ設定ステップを前記コンピュータに実行させる。
【発明の効果】
【００１１】
本願において開示される発明のうち、代表的なものによって得られる効果を簡単に説明すれば以下のとおりである。
【００１２】
本発明の代表的な実施の形態によれば、仮想マシンに導入されるアプリケーションソフトウェアのバージョンが変更された場合であっても、パラメータを自動で設定できるようになる。
【図面の簡単な説明】
【００１３】
【図１】本発明の一実施の形態におけるパラメータ設定支援システムの構成例の概要を示す図である。
【図２】本発明の一実施の形態における設定手順情報記憶部に記憶される設定手順情報の構成例の概要を示す図である。
【図３】本発明の一実施の形態における設定ファイルの構成例の概要を示す図である。
【図４】本発明の一実施の形態における構成情報記憶部に記憶される構成情報テーブルの構成例の概要を示す図である。
【図５】本発明の一実施の形態における設定項目記憶部に記憶される設定項目テーブルの構成例の概要を示す図である。
【図６】本発明の一実施の形態における全体処理の概要を示す図である。
【図７】本発明の一実施の形態における確認画面の例を示す図である。
【発明を実施するための形態】
【００１４】
以下、本発明の実施の形態を図面に基づいて詳細に説明する。なお、実施の形態を説明するための全図において、同一部には原則として同一の符号を付し、その繰り返しの説明は省略する。
【００１５】
本発明の一実施の形態におけるパラメータ設定支援システムは、仮想マシンを構築する手順が記載されたマニュアルから抽出されたテキストデータである設定手順情報から、パラメータを設定する対象を特定するためのキーワードを抽出する。また、抽出したキーワードに対応するパラメータを取得する。そして、抽出したキーワードから特定される設定対象に取得したパラメータを設定する。
【００１６】
＜システム構成＞
図１は、本発明の一実施の形態におけるパラメータ設定支援システム１００の構成例の概要を示す図である。図１に示されるようにパラメータ設定支援システム１００は、制御部１１０と、構成情報記憶部１２０と、設定項目記憶部１３０と、表示部１４０と、設定手順情報記憶部１５０と、入力部１６０とを有する。
【００１７】
また、パラメータ設定支援システム１００は、所定のハードウェアおよびソフトウェアにより実装される。例えば、パラメータ設定支援システム１００は、プロセッサやメモリなどを有し、プロセッサにより実行されるメモリ上のプログラムが、パラメータ設定支援システム１００のコンピュータを機能させる。
【００１８】
設定手順情報記憶部１５０は、設定手順情報（後述、図２）を記憶する。設定手順情報は、仮想マシンを構築する手順が記載されたマニュアルから抽出されたテキストデータである。
【００１９】
構成情報記憶部１２０は、構成情報テーブル（後述、図４）を記憶する。構成情報テーブルは、仮想マシンが構築される際にユーザにより作成される。そして、構成情報テーブルには、パラメータが設定される対象に設定されるパラメータの値が記憶される。
【００２０】
制御部１１０は、設定手順情報記憶部１５０に記憶された設定手順情報から、パラメータが設定される対象および設定されるパラメータを特定するためのキーワードを抽出する。制御部１１０は、抽出したキーワードから、パラメータが設定される対象を特定する。また、制御部１１０は、構成情報記憶部１２０から抽出したキーワードに対応するパラメータを取得する。そして、制御部１１０は、特定したパラメータが設定される対象に取得したパラメータを設定する。
【００２１】
制御部１１０は、抽出したキーワードとパラメータとを対応付けて設定項目記憶部１３０に記憶する。
【００２２】
表示部１４０は、設定項目記憶部１３０に記憶されたキーワードとパラメータとを一覧で表示する。
【００２３】
入力部１６０は、例えば、マウスやキーボードが該当する。入力部１６０は、自動で入力されなかったパラメータなどの入力を受け付ける。
【００２４】
＜設定手順情報＞
図２は、本発明の一実施の形態における設定手順情報記憶部１５０に記憶される設定手順情報の構成例の概要を示す図である。図２に示されるように、設定手順情報には、[設定番号]（図２に示される（１）、（２）、（３）、（４）が該当する）ごとの構築手順（図２に示される「ａａａ．ｃｏｎｆｉｇのクライアントのＩＰアドレスを設定」、「ａａａ．ｃｏｎｆｉｇのＤＢのＤＢ名を設定」、「ｂｂｂ．ｐｒｏｐｅｒｔｉｅｓのアクティブディレクトリのホスト名を設定」、「ｃｃｃ．ｄｉｃｏｎのメールサーバのホスト名を設定」が該当する）が記載されている。
【００２５】
そして、各構築手順は、キーワードである設定ファイルの名称を示す[設定ファイル名]（「ａａａ．ｃｏｎｆｉｇ」、「ｂｂｂ．ｐｒｏｐｅｒｔｉｅｓ」、「ｃｃｃ．ｄｉｃｏｎ」などが該当する）や、仮想マシンに割り当てられる役割を示す[役割]（「クライアント」、「ＤＢ」、「アクティブディレクトリ」、「メールサーバ」などが該当する）や、[設定対象]（「ＩＰアドレス」，「備考」，「ホスト名」などが該当する）などの情報を含む。
【００２６】
[設定番号]は、「１」から順番に昇順に割り振られる番号であって、設定する順番を示す。
【００２７】
＜設定ファイル＞
図３は、本発明の一実施の形態における設定ファイルの構成例の概要を示す図である。設定ファイルは、仮想マシンが構築される際にユーザにより作成される。そして、設定ファイルには、構築される仮想マシンの設定内容が記憶される。図３に示されるように、設定ファイルは、複数存在する。各設定ファイルには、設定ファイル名が付けられている。また、各設定ファイルには設定される対象を示す「ＩＰ  ａｄｄｒｅｓｓ」、「ＤＢ  ｎａｍｅ」、「ｈｏｓｔ  ｎａｍｅ」などの情報が記憶される。そして、各対象には、パラメータ（図３に示される「１９８．２３４．５．ｘ」、「ｄｂ−ｘｙ」、「ｄｂ−ｙｙ」、「ＶＭ５１２」が該当する）が設定される。
【００２８】
＜構成情報テーブル＞
図４は、本発明の一実施の形態における構成情報記憶部１２０に記憶される構成情報テーブルの構成例の概要を示す図である。構成情報テーブルには、パラメータが設定される対象に設定されるパラメータの値が記憶される。図４に示されるように、構成情報テーブルは、[仮想マシン名]、[ホスト名]、[ＩＰアドレス]、[役割]、[備考]などのデータ項目を有する。[仮想マシン名]は、設定ファイル（前述、図３）に設定される仮想マシンの名称を示す。[ホスト名]は、設定ファイルに設定されるホストの名称を示す。[ＩＰアドレス]は、設定ファイルに設定されるＩＰアドレスを示す。[備考]には、設定ファイルに設定されるＤＢの名称などの情報が記憶される。
【００２９】
＜設定項目テーブル＞
図５は、本発明の一実施の形態における設定項目記憶部１３０に記憶される設定項目テーブルの構成例の概要を示す図である。図５に示されるように設定項目テーブルは、[通番]、[設定ファイル名]、[役割]、[設定対象]、[パラメータ]などのデータ項目を有する。 [通番]は、設定項目テーブルを構成する各レコードの通し番号を示す。[設定ファイル名]は、設定ファイルの名称を示す。[パラメータ]は、設定ファイル（前述、図３）に設定されたパラメータを示す。
【００３０】
＜全体処理＞
図６は、本発明の一実施の形態における全体処理の概要を示す図である。
【００３１】
まず、Ｓ６０１にて、制御部１１０は、設定手順情報記憶部１５０から設定手順情報（前述、図２）を取得する。そして、制御部１１０は、設定手順情報に含まれる[設定番号]ごとに、設定手順情報からキーワードである[設定ファイル名]と[役割]と[設定対象]とを抽出する。
【００３２】
設定手順情報が図２に示されるものである場合、制御部１１０は、[設定番号]「（１）」に対して、「ａａａ．ｃｏｎｆｉｇ」（[設定ファイル名]）と、「クライアント」（[役割]）と、「ＩＰアドレス」（[設定対象]）とを抽出する。さらに、制御部１１０は、[設定番号]「（２）」に対して、「ａａａ．ｃｏｎｆｉｇ」（[設定ファイル名]）と、「ＤＢ」（[役割]）と、「ＤＢ名」（[設定対象]）とを抽出する。さらに、制御部１１０は、[設定番号]「（３）」に対して、「ｂｂｂ．ｐｒｏｐｅｒｔｉｅｓ」（[設定ファイル名]）と、「アクティブディレクトリ」（[役割]）と、「ホスト名」（[設定対象]）とを抽出する。さらに、制御部１１０は、[設定番号]「（４）」に対して、「ｃｃｃ．ｄｉｃｏｎ」（[設定ファイル名]）と、「メールサーバ」（[役割]）と、「ホスト名」（[設定対象]）とを抽出する。
【００３３】
なお、制御部１１０は、仮想マシンに導入されるアプリケーションソフトウェアのバージョンを取得し、取得したバージョンに対応する設定手順情報からキーワードである[設定ファイル名]と[役割]と[設定対象]とを抽出する。これにより、後述する処理にてバージョンの変更に伴い設定手順情報の内容が変更された場合であっても、自動で設定ファイルに[パラメータ]を設定できるようになる。
【００３４】
次に、Ｓ６０２にて、制御部１１０は、Ｓ６０１にて抽出した各[設定対象]を英字に変換する。例えば、Ｓ６０１にて、[設定対象]として、「ＩＰアドレス」と、「ＤＢ名」と、「ホスト名」とを抽出した場合、パラメータ設定支援システム１００は、「ＩＰアドレス」を「ＩＰａｄｄｒｅｓｓ」へ、「ＤＢ名」を「ＤＢｎａｍｅ」へ、「ホスト名」を「Ｈｏｓｔｎａｍｅ」へ変換する。
【００３５】
次に、Ｓ６０３にて、制御部１１０は、[設定番号]に対応する[設定ファイル名]を[設定番号]に対応する[設定対象]で検索することで、自動（人手ではなく、制御部１１０が設定する）でパラメータが設定される対象を特定し、特定した対象を保持する。
【００３６】
具体的には、制御部１１０は、[設定番号]（初期値としては「１」が設定されている）に対応するキーワードである[設定ファイル名]（前述、図３）を、[設定番号]に対応するに対応するキーワードである[設定対象]（この[設定対象]は、Ｓ６０２にて英字に変換後されている）をキーに検索する。制御部１１０は、キーと一致する[設定対象]が設定ファイルに含まれる場合には、[設定番号]を保持する。さらに、制御部１１０は、検索した設定ファイルの[設定ファイル名]と、キーと一致する[設定対象]とを組み合わせたマッチングパターンを保持する。マッチングパターンは、[設定ファイル名]と[設定対象]とからなり、パラメータが設定される対象を示す。
【００３７】
例えば、[設定番号]「（１）」に対応する[設定ファイル名]が、「ａａａ．ｃｏｎｆｉｇ」であり、[設定番号]「（１）」に対応する[設定対象]が、「ＩＰａｄｄｒｅｓｓ」である場合、制御部１１０は、「ａａａ．ｃｏｎｆｉｇ」を、「ＩＰａｄｄｒｅｓｓ」をキーに検索する。そして、制御部１１０は、キーと一致する[設定対象]が設定ファイルに含まれる場合には、[設定番号]「（１）」を保持する。さらに、制御部１１０は、「ａａａ．ｃｏｎｆｉｇ」と「ＩＰａｄｄｒｅｓｓ」とを組み合わせたマッチングパターンを保持する。
【００３８】
なお、制御部１１０は、キーと一致する[設定対象]が設定ファイルに含まれない場合には、[設定番号]およびマッチングパターンを保持しない。例えば、[設定番号]「（４）」に対応する[設定ファイル名]が、「ｃｃｃ．ｄｉｃｏｎ」であり、[設定番号]「（４）」に対応する[設定対象]が「Ｈｏｓｔｎａｍｅ」である場合、「ｃｃｃ．ｄｉｃｏｎ」には、対応する設定ファイルにキーと一致する[設定対象]である「Ｈｏｓｔｎａｍｅ」が存在しない。この場合は、制御部１１０は、「ｃｃｃ．ｄｉｃｏｎ」と「Ｈｏｓｔｎａｍｅ」とを組み合わせたマッチングパターンを保持しない。
【００３９】
次に、Ｓ６０４にて、制御部１１０は、保持している[選択番号]に対応する[役割]と[設定対象]とをキーに構成情報テーブル（前述、図４）を検索し、キーに対応する情報をパラメータとして取得する。そして、制御部１１０は、保持している[選択番号]に対応するマッチングパターンから特定される対象に取得したパラメータを設定する。
【００４０】
例えば、保持している[選択番号]が「（１）」であり、対応する[役割]が「クライアント」、[設定対象]が「ＩＰアドレス」である場合、制御部１１０は、「クライアント」と、「ＩＰアドレス」とをキーに構成情報テーブルを検索する。そして、構成情報テーブルが図４に示されるものである場合、制御部１１０は、キーから特定される「１２３．２２．２２．ｘ１」を[パラメータ]として取得する。そして、制御部１１０は、マッチングパターンから特定される対象である、ファイル「ａａａ．ｃｏｎｆｉｇ」に含まれる「ＩＰａｄｄｒｅｓｓ」に、取得した「１２３．２２．２２．ｘ１」を設定する。なお、マッチングパターンから特定される対象に既にパラメータが設定されている場合、制御部１１０は、既に設定されているパラメータを取得したパラメータへ更新する。
【００４１】
次に、Ｓ６０５にて、制御部１１０は、Ｓ６０１にて抽出したすべての[選択番号]に対応する[設定ファイル名]を検索したかを判定する。Ｓ６０５にて、制御部１１０が、すべての[選択番号]に対応する[設定ファイル名] の設定ファイルを検索したと判定する場合（Ｓ６０５−Ｙｅｓ）、Ｓ６０７へ進む。一方、Ｓ６０５にて、制御部１１０が、すべての[選択番号]に対応する[設定ファイル名] の設定ファイルを検索していないと判定する場合（Ｓ６０５−Ｎｏ）、Ｓ６０６へ進む。
【００４２】
Ｓ６０６にて、制御部１１０は、[設定番号]の値をインクリメントする。その後、Ｓ６０３へ進む。
【００４３】
Ｓ６０７にて、制御部１１０は、Ｓ６０１にて抽出された[設定番号]ごとの[設定ファイル名]と[役割]と[設定対象]とＳ６０４にて取得した[パラメータ]とを対応付けて設定項目記憶部１３０に記憶する。なお、Ｓ６０４にて[パラメータ]が取得されていないレコード（[設定ファイル名]と[役割]と[設定対象]とからなる）については、[パラメータ]が記憶されない。
【００４４】
次に、Ｓ６０８にて、表示部１４０は、確認画面を表示する。以下、図７を用いて、確認画面について説明する。
【００４５】
図７は、本発明の一実施の形態における確認画面の例を示す図である。図７に示されるように表示部１４０は、設定ファイル選択欄７０１と、パラメータ確認欄７０２と、設定ファイル確認欄７０３と、追加ボタン７０４と、キャンセルボタン７０５と、出力ボタン７０６と、反映ボタン７０７とを表示する。
【００４６】
設定ファイル選択欄７０１には、各設定ファイルの設定ファイル名がリスト表示される。そして、入力部１６０は、設定ファイルを選択する入力を受け付ける。
【００４７】
パラメータ確認欄７０２には、設定項目記憶部１３０に記憶されたすべての[設定ファイル]の[役割]と[設定対象]と[パラメータ]とが一覧で表示される。また、Ｓ６０４にて設定されなかった[パラメータ]と対応する[役割]および[設定対象]については、他の[役割]および[設定対象]と異なる態様（例えば、他の[役割]および[設定対象]と色彩を異ならせる）で表示される。なお、設定されなかった[パラメータ]と対応する[役割]および[設定対象]を太字で表示するようにしても良い。
【００４８】
例えば、Ｓ６０４にて、「メールサーバ」の「ホスト名」については、[パラメータ]が設定されていない。よって、「メールサーバ」および「ホスト名」については、異なる態様で表示される。
【００４９】
入力部１６０が、追加ボタン７０４を選択する入力を受け付け、その後、文字の入力を受け付けることで、設定されなかった[パラメータ]が設定される。また、入力部１６０は、入力を受け付けることで、パラメータ確認欄７０２に表示された[役割]と[設定対象]と[パラメータ]との内容を変更する入力を受け付ける。
【００５０】
設定ファイル確認欄７０３には、設定ファイル選択欄７０１から選択された設定ファイルの内容が表示される。また、Ｓ６０４にて設定された[パラメータ]については、他の文字と異なる態様（例えば、他の文字と異なる色彩）で表示される。なお、[パラメータ]を太字で表示するようにしても良い。
【００５１】
入力部１６０が、反映ボタン７０７を選択する入力を受け付けると、パラメータ確認欄７０２にて編集および追加された情報が、設定ファイル確認欄７０３に反映される。入力部１６０が、出力ボタン７０６を選択する入力を受け付けると、各設定ファイルが出力され、Ｓ６０９へ進む。これにより、仮想マシンに対して、設定ファイルに基づく設定がされる。
【００５２】
再び図６を参照する。次に、Ｓ６０９にて、制御部１１０は、確認画面にて編集された後の、各[設定ファイル名]と[役割]と[設定対象]と[パラメータ]とを対応付けて設定項目記憶部１３０に記憶し、全体処理を終了する。
【００５３】
ここで、Ｓ６０１は、キーワード抽出ステップに相当する。また、Ｓ６０３は、設定対象特定ステップに相当する。また、Ｓ６０４は、パラメータ設定ステップに相当する。
【００５４】
＜本実施の形態の効果＞
以上説明した本実施の形態におけるパラメータ設定支援システム１００によれば、設定手順情報から抽出したキーワードから、パラメータが設定される対象を特定し、特定した対象にパラメータを設定することで、仮想マシンに導入されるアプリケーションソフトウェアのバージョンが変更された場合であっても、パラメータを自動で設定できるようになる。
【００５５】
また、抽出したキーワードとパラメータとを対応付けて設定項目記憶部１３０に記憶することで、再度、仮想マシンを構築する際のパラメータを設定する手間を省けるようになる。
【００５６】
また、設定項目記憶部１３０に記憶されたキーワードとパラメータとを一覧で表示することで、設定された内容を確認できるようになる。
【００５７】
また、入力されなかったパラメータに対応するキーワードを入力されたパラメータに対応するキーワードとは異なる態様で表示することで、入力されなかったパラメータを容易に確認できるようになる。
【００５８】
また、入力されなかったパラメータの入力を受け付けることで、必要なパラメータをもれなく設定できるようになる。
【００５９】
以上、本発明者によってなされた発明を実施の形態に基づき具体的に説明したが、本発明は前記実施の形態に限定されるものではなく、その要旨を逸脱しない範囲で種々変更可能であることはいうまでもない。
【符号の説明】
【００６０】
１００…パラメータ設定支援システム、１１０…制御部、１２０…構成情報記憶部、１３０…設定項目記憶部、１４０…表示部、１５０…設定手順情報記憶部、１６０…入力部、７０１…設定ファイル選択欄、７０２…パラメータ確認欄、７０３…設定ファイル確認欄、７０４…追加ボタン、７０５…キャンセルボタン、７０６…出力ボタン、７０７…反映ボタン
【図１】
2015095035.tif 000003
【図２】
2015095035.tif 000004
【図３】
2015095035.tif 000005
【図４】
2015095035.tif 000006
【図５】
2015095035.tif 000007
【図６】
2015095035.tif 000008
【図７】
2015095035.tif 000009